(57)【要約】実質的に異なる外観を有する第１（５１）および第２（５２）のディスプレイ面を有する細長いメインボディ（２）と、２つのディスプレイ面（５１，５２）に対応する２つのディスプレイ位置をとるように細長いメインボディ（２）へ回転可能に接続された装飾要素（３）を備える、両面構造のネックレス、ブレスレットおよび同様な物のような環状装身具（１）。【選択図】図１
2005501633.tif 000002
【特許請求の範囲】
【請求項１】
実質的に異なる外観の第１（５１）および第２（５２）のディスプレイ面を有する細長いメインボディ（２）を備えた両面構造を有するネックレス、ブレスレットおよび同様な物のような環状の装身具（１）において、前記装身具はさらに前記２つのディスプレイ面（５１，５２）に対応する２つのディプレイ位置をとるように前記細長いメインボディ（２）に回転可能に接続された少なくとも１つの装飾要素（３）を備えることを特徴とする装身具。
【請求項２】
請求項１に記載の装身具（１）において、前記細長いメインボディ（２）の前記第１（５１）および第２（５２）のディスプレイ面は異なる種類の金属で作られている装身具。
【請求項３】
請求項２に記載の装身具（１）において、前記第１（５１）および第２（５２）のディスプレイ面の一方はホワイトゴールド、他方はイエローゴールドで作られている装身具。
【請求項４】
請求項１〜３のいずれかに記載の装身具（１）において、前記細長いメインボディ（２）は、それぞれ前記ディスプレイ面のうちの１つとなる２つの貴金属箔（５１，５２）を備え、前記２つの箔はそれぞれの縦方向縁部で互いに固定されて筒状の構造を形成する装身具。
【請求項５】
請求項４に記載の装身具（１）において、前記筒状の構造は互いに並べて配置される複数の環状の要素に区分される装身具。
【請求項６】
請求項１〜５のいずれかに記載の装身具（１）において、前記細長いメインボディ（２）は実質的に平坦である装身具。
【請求項７】
請求項１〜６のいずれかに記載の装身具（１）において、前記装飾要素（３）が前記ディスプレイ位置のうちの１つに位置した際に前記少なくとも一つの装飾要素（３）の回転を妨げる手段を備える装身具。
【請求項８】
請求項７に記載の装身具（１）において、前記回転を妨げる手段は形状干渉手段である装身具。
【請求項９】
請求項１〜６のいずれかに記載の装身具（１）において、前記少なくとも一つの装飾要素（３）は少なくとも１つのはめ込み（３）とその中に収容される１つの装飾用宝石を備える装身具。
【請求項１０】
請求項９に記載の装身具（１）において、前記はめ込み（３）は、２つのサイドピン（１５１，１５２）を有し、各サイドピンは前記細長いメインボディ（２）内に設けられた各受座（１０）内で回転可能である装身具。
【請求項１１】
請求項７または８に従属する場合の請求項１０に記載の装身具（１）において、前記サイドピン（１５１，１５２）のうちの少なくとも一つの断面は実質的に円形であり且つ直径方向に対向する２つの部分で押しつぶされ、前記回転を妨げる手段は少なくとも一つの実質的に環状の要素（１２）を備え、この要素は前記細長いメインボディ（２）に固定された実質的に矩形の形状を有し且つ前記サイドピンの少なくとも一つを支持する装身具。
【請求項１２】
請求項１〜１１のいずれかに記載の装身具（１）において、前記少なくとも一つの回転可能な装飾要素（３）は、２つの互いに反対側のディスプレイ面を有する両面構造である装身具。
【請求項１３】
請求項１２に記載の装身具（１）において、前記少なくとも一つの装飾要素（３）は少なくとも２つの宝石（１４）を備え、それぞれの宝石は装飾要素自体の各ディスプレイ面に配置される装身具。
【請求項１４】
請求項１２または１３に記載の装身具（１）において、前記少なくとも一つの装飾要素（３）の前記２つのディスプレイ面の各々は異なる機械表面加工を受ける装身具。
【請求項１５】
請求項１４に記載の装身具（１）において、前記機械表面加工は彫刻、ダイヤモンド彫刻およびレーザー加工での模様付けからなるグループの中から選択される装身具。
【請求項１６】
請求項１〜１５のいずれかに記載の装身具（１）において、前記少なくとも一つの装飾要素（３）は交換可能である装身具。
【請求項１７】
請求項１〜１６のいずれかに記載の装身具（１）において、２つのディスプレイ位置をとるように前記細長いメインボディ（２）に回転可能に接続された複数の装飾要素を備える装身具。
【発明の詳細な説明】
【技術分野】
【０００１】
本発明はネックレス、ブレスレットおよび同様な物のような環状の両面装身具に関する。より詳細には、少なくとも部分的に貴金属で作られている装身具に関する。
【背景技術】
【０００２】
人が参列する様々な活動や社会的出来事には、種々のスタイル、デザインおよび色彩の衣料品を含む衣装の利用を必要とする。そのような衣料品には、身につけたときおよび場合に応じて、その色彩およびスタイルと調和する装身具を用いるべきである。しかしながら、よく知られているように装身具は、特に貴金属で作られているときは非常に高価である。従って、人があらゆる場合および利用可能なそれぞれの衣料品にふさわしい装身具を手に入れることは実際上あり得ないことである。
【発明の開示】
【発明が解決しようとする課題】
【０００３】
このため、より融通が利く装身具に対する需要がある。この需要は特に、典型的に最も人目につき重要な装身具であり、しばしば衣服に対する審美眼のある人がたった一つだけ用いるネックレスとブレスレットについて感じられる。
【０００４】
本発明の目的は、公知技術に関連してここで説明した需要を満足させるネックレス、ブレスレットおよび同様な物を提供することにある。
この問題点は請求項１に記載の両面装身具によって解決される。
【発明の効果】
【０００５】
本発明の主な利点は、単一の構造で２つの異なる貴重品となり、２つの装着選択肢を与える、融通の利く装身具を提供することにある。
本発明の他の利点、特徴および実施の態様は、非制限的な例として与えられる以下のいくつかの実施例の詳細な説明で明らかとなるであろう。
【実施例１】
【０００６】
最初に図１において、本発明による両面ネックレスが全体として１で示されている。このネックレス１は詳細に後述するように、そのチョーカー部を形成してユーザーの首の輪郭に従う細長いメインボディ２と、前記チョーカー部２に回転可能に接続された装飾要素３を備える。
【０００７】
チョーカー部２は２つの主なセグメントからなり、より詳しくはそれぞれ４１と４２で示されるいずれも湾曲した外形を有し且つ互いに対称な第１および第２のセグメントからなる。
【０００８】
図２も参照すると、本実施例において各湾曲セグメント４１，４２はそれぞれ同じ寸法で一方はイエローゴールドあるいは金メッキで作られ、他方はホワイトゴールドあるいはホワイトゴールドメッキで作られた２つの貴金属箔５１，５２から作られている。これらの箔５１，５２はそれぞれの縦方向縁部で接合され、押しつぶされた断面を有する筒状構造をなしている。この押しつぶされた形状は、チョーカー部２の全体をしっかりとユーザーの首へ接触させ、これにより箔５１，５２のそれぞれが両面ネックレス１の１つのディスプレイ面を形成することとなる。
【０００９】
好ましくは、２つの箔５１，５２によって形成される筒状構造は、チョーカー部２に要求される快適な構造上の可撓性を与えるため、互いに並べて配置される複数の環状要素に区分される。前記筒状構造はさらに内部に螺旋状に巻かれた細長い箔５３を備える。箔５３はストリップとも称され、前記環状要素をつなぎ、ガイドし、そして支持する基礎を構成する。
【００１０】
本実施例においては、前記押しつぶされた断面は実質的に眼の形状である。これに代えて、前記断面は矩形、長円形、楕円体形状等の任意の押しつぶされた形状であっても良い。
【００１１】
本実施例において、２つの箔５１，５２によって形成される筒状構造内に画定される縦方向の空間内に、外部からは見えず構造の縦方向の引っ張りに対する安定性、従ってネックレス１の伸長に対する機械的抵抗を提供する線状の例えば金からなる貴金属コア６が設けられている。
【００１２】
上述したとおり、当然、湾曲したセグメント４１，４２は撓み性の弾性変形性を有する。このような変形性の実体は、通常の方法に従い、身につけたネックレス１の前記形状の安定性と身につけることの容易性とユーザーの外面的特徴に対する適合性との間の最適な妥協点を得るようにして決定される。
【００１３】
各湾曲したセグメント４１，４２の線６は、その第１の縦方向端部で第１および第２の接続フランジ６１，６２にそれぞれ固定され、従って、装飾要素３に接続される。
【００１４】
図３に示されるように、各フランジ６１，６２はそれぞれ第１および第２の互いに接合されたハーフシェル７１，７２から構成される。第１および第２のハーフシェル７１，７２は同じ形状を有し第１のハーフシェルはイエローゴールド、第２のハーフシェルはホワイトゴールドから作られる。図３において、各第１および第２のフランジ６１あるいは６２はその第１の縦方向端部に細長いチョーカー受座８を有する。チョーカー受座８は湾曲した各セグメント４１，４２の前記端部を支持する。線６を介して、湾曲した各セグメント４１，４２は、箔５１と５２がそれぞれ第１のハーフシェル７１と第２のハーフシェル７２の同じ側に位置するように各フランジ６１，６２に固定される。
【００１５】
前記チョーカー受座８に隣接して、各フランジ６１，６２はさらに第１および第２のハーフシェル７１および７２を拘束する手段９を有する。この拘束手段は２プラグカップリングあるいは同様な要素で実現される。
【００１６】
各フランジ６１，６２は、チョーカー受座８の反対側の端部に、外部が当接縁１１で終るピン受座１０を有する。前記ピン受座１０内には、実質的に矩形の外形を有する実質的に環状の要素１２が挿入されている。この環状の要素１２は各ピン受座１０の開口部と実質的に平行に配置され、その機能は以下において明らかにされる。
【００１７】
本実施例において、装飾要素３は同様に３で示されるはめ込みから構成される。このはめ込み３は宝石１４を支持する伝統的なはめ込み体１３を有する。前記はめ込み体１３は要素３の他の部分から取り外し可能である。さらに、宝石１４は交換可能である。
【００１８】
図４から明らかなように、本実施例において装飾要素３はさらに一対のサイドピン１５１，１５２を有する。各サイドピンは各フランジ６１，６２の各ピン受座１０内に支持される。
【００１９】
各ピン１５１，１５２は、各環状の要素１２内に支持される大きな断面に形成された頭部を有する。より詳しくは、このピン１５１，１５２の大きな断面の頭部は実質的に円形でその直径方向に対向する２つの部分で押しつぶされていて、前記押しつぶされた場所でピンの横方向の寸法が各矩形の環状要素１２によって画定される空間の横方向の、より小さい寸法と実質的に同一とされている。
【００２０】
従って、各矩形の環状要素１２は、各ピン１５１，１５２を、各ピン１５１，１５２の押しつぶされた部分が環状要素自体の横方向の、より小さい寸法に沿って整列する２つの位置に安定的に保持すると同時に、各環状要素はピン１５１，１５２が異なる位置へ向けて回転することを妨げる。より詳しくは、前記２つの安定位置において宝石１４の見える部分が第１あるいは第２の環状要素箔５１，５２と実質的に平行になるようにピン１５１，１５２は、はめ込み３のはめ込み体１３および矩形の環状要素１２へ組み付けられる。
【００２１】
フランジ６１，６２の当接縁１１が各ピン１５１，１５２の外れることを防止することは理解されるであろう。
さらに図１においてチョーカー部２の湾曲したセグメント４１，４２は、他方の縦方向端部で、通常のタイプのスプリング式留め金装置１６によって接続可能である。
以下において、本発明による両面ネックレスを用いる方法が明らかとなるであろう。
【００２２】
より詳しくは、ネックレス１は２つのディスプレイ面、すなわち見える場所に位置させ得る２つの面を有する。２つの面は実質的に異なる外見であり、より詳細には一方はイエローゴールドで作られ、他方はホワイトゴールドで作られる。イエローゴールド面は２つの湾曲したセグメント４１，４２の第１の箔５１、フランジ６１，６２の各第１のハーフシェル７１、および装飾要素３が前記２つの安定位置のうちの一方にあるときの宝石１４の見える部分からなる。一方ホワイトゴールド面は、第２の箔５２，各第２のハーフシェル７２，装飾要素３の他方の安定位置での宝石１４からなる。
【００２３】
従って、ネックレス１を身につけたとき、ユーザーは見せるべき面、すなわち見える場所に位置させる面を単に選択するだけであり、そして必要に応じて装飾要素３を対応する安定位置に回転させる。
【００２４】
スプリング式留め金装置１６はディプレイ面に関係なくネックレス１を容易に閉じることを可能にすることは理解されよう。
本発明の両面ネックレスはいくつかの異なる実施例とすることが出来ることは理解されよう。そのうちいくつかは以下において、上記の実施例と異なる独特の態様について、簡単に説明される。
【００２５】
第１の変形例によれば、本発明の装身具はメインボディと同様に装飾要素も両面すなわち２つの反対側のディスプレイ面を有する。これは例えば同じはめ込みの反対側に異なる宝石を設けることにより、あるいは装飾要素の反対側の面に異なる表面加工例えば彫刻、ダイヤモンド彫刻、レーザー加工での模様付け等を施すことにより達成される。
【００２６】
単に回転可能なだけではなく、両面構造である装飾要素の存在は、装身具の融通性を増し、実現できる装身具の装着の形態を増加させる。
さらに、装飾要素は１つの面あるいは互いに反対側の２つの面に複数の宝石を備えることが出来る。
さらに本発明の装身具は複数の回転可能な装飾要素を備えることが出来る。
【００２７】
他の変形例によれば、ネックレスの場合はチョーカーである細長いメインボディは上記したものとは異なっていても良い。例えば、前記ボディは、押しつぶされた形状の小片から構成されあるいは２つの互いに反対側の面を異なる貴金属例えばホワイトゴールドとイエローゴールドをメッキして構成される単一の細長い要素から得ることができる。
【００２８】
さらに他の実施例によれば装身具の前記細長いメインボディは、異なる貴金属によって作られる代わりに、異なる装飾的な模様付けあるいは機械加工で作られた２つの面を有する。
【００２９】
本発明の回転可能な装飾要素は単に、図面に基づいて上述したような中空のコアを有するオメガタイプと称されるネックレスに適用されるのみでなく、コアを有しないあるいは例えば金属織物構造のストリップ、チェーンあるいは高価なあるいは高価でない物質からなる１本以上の線状要素を有する固体のインナーコアを備えた伝統的なネックレスにも適用可能である。
【００３０】
さらに、本発明の装身具は装飾要素の回転を妨げる手段として、上述した形状干渉手段で矩形の環状要素のものに代えて、ピンヘッドカップリングを用いても良い。この手段は上述した態様のように横方向に２つ設ける代わりに横方向に１つだけ設けても良い。
【００３１】
最後に、本発明は適当な、高価なあるいは高価ではない材料から作られるどんなネックレスあるいはブレスレットタイプの環状装身具にも関する。
本発明を好ましい実施例に基づいて説明した。添付の特許請求の範囲の保護範囲に入る他の実施例があることは理解される。
【図面の簡単な説明】
【００３２】
【図１】本発明によるネックレスの実施例の斜視図である。
【図２】Ａ−Ａ線に沿った図１のネックレスの断面図である。
【図３】図１のネックレスの詳細を示した部分斜視断面図である。
【図４】図１のネックレスの詳細を示した斜視図である。
【国際公開パンフレット】
2005501633.tif 000003
2005501633.tif 000004
2005501633.tif 000005
2005501633.tif 000006
2005501633.tif 000007
2005501633.tif 000008
2005501633.tif 000009
2005501633.tif 000010
2005501633.tif 000011
2005501633.tif 000012
2005501633.tif 000013
【国際公開パンフレット（コレクトバージョン）】
2005501633.tif 000014
2005501633.tif 000015
【手続補正書】
【提出日】平成15年10月14日(2003.10.14)
【手続補正１】
【補正対象書類名】特許請求の範囲
【補正対象項目名】全文
【補正方法】変更
【補正の内容】
【特許請求の範囲】
【請求項１】
実質的に異なる外観の第１（５１）および第２（５２）のディスプレイ面を有する細長いメインボディ（２）と、該２つのディスプレイ面（５１、５２）に相当する２つのディプレイ位置をとるように前記メインボディ（２）に回転可能に接続された少なくとも１つの装飾要素（３）とを備えた両面構造を有するネックレス、ブレスレットおよび同様な物のような環状の装身具（１）において、前記装身具はさらに、前記少なくとも１つの装飾要素（３）がディプレイ位置の一つにあるときに該装飾要素（３）の回転を妨げる手段を備え、その回転を妨げる手段が、前記装飾要素（３）の側方へ突出する、該装飾要素（３）のサイドピン（１５１，１５２）を有していることを特徴とする装身具。
【請求項２】
請求項１に記載の装身具（１）において、前記細長いメインボディ（２）の前記第１（５１）および第２（５２）のディスプレイ面は異なる種類の金属で作られている装身具。
【請求項３】
請求項２に記載の装身具（１）において、前記第１（５１）および第２（５２）のディスプレイ面の一方はホワイトゴールド、他方はイエローゴールドで作られている装身具。
【請求項４】
請求項１〜３のいずれかに記載の装身具（１）において、前記細長いメインボディ（２）は、それぞれ前記ディスプレイ面のうちの１つとなる２つの貴金属箔（５１，５２）を備え、前記２つの箔はそれぞれの縦方向縁部で互いに固定されて筒状の構造を形成する装身具。
【請求項５】
請求項４に記載の装身具（１）において、前記筒状の構造は互いに並べて配置される複数の環状の要素に区分される装身具。
【請求項６】
請求項１〜５のいずれかに記載の装身具（１）において、前記細長いメインボディ（２）は実質的に平坦である装身具。
【請求項７】
請求項１〜６のいずれかに記載の装身具（１）において、前記回転を妨げる手段は形状干渉手段である装身具。
【請求項８】
請求項１〜７のいずれかに記載の装身具（１）において、前記少なくとも一つの装飾要素（３）は少なくとも１つのはめ込み（３）とその中に収容される１つの装飾用宝石を備える装身具。
【請求項９】
請求項８に記載の装身具（１）において、前記はめ込み（３）は、２つのサイドピン（１５１，１５２）を有し、各サイドピンは前記細長いメインボディ（２）内に設けられた各受座（１０）内で回転可能である装身具。
【請求項１０】
請求項９に記載の装身具（１）において、前記サイドピン（１５１，１５２）のうちの少なくとも一つの断面は実質的に円形であり且つ直径方向に対向する２つの部分で押しつぶされ、前記回転を妨げる手段は少なくとも一つの実質的に環状の要素（１２）を備え、この要素は前記細長いメインボディ（２）に固定された実質的に矩形の形状を有し且つ前記サイドピンの少なくとも一つを支持する装身具。
【請求項１１】
請求項１〜１０のいずれかに記載の装身具（１）において、前記少なくとも一つの回転可能な装飾要素（３）は、２つの互いに反対側のディスプレイ面を有する両面構造である装身具。
【請求項１２】
請求項１１に記載の装身具（１）において、前記少なくとも一つの装飾要素（３）は少なくとも２つの宝石（１４）を備え、それぞれの宝石は装飾要素自体の各ディスプレイ面に配置される装身具。
【請求項１３】
請求項１１または１２に記載の装身具（１）において、前記少なくとも一つの装飾要素（３）の前記２つのディスプレイ面の各々は異なる機械表面加工を受ける装身具。
【請求項１４】
請求項１３に記載の装身具（１）において、前記機械表面加工は彫刻、ダイヤモンド彫刻およびレーザー加工での模様付けからなるグループの中から選択される装身具。
【請求項１５】
請求項１〜１４のいずれかに記載の装身具（１）において、前記少なくとも一つの装飾要素（３）は交換可能である装身具。
【請求項１６】
請求項１〜１５のいずれかに記載の装身具（１）において、２つのディスプレイ位置をとるように前記細長いメインボディ（２）に回転可能に接続された複数の装飾要素を備える装身具。
【手続補正２】
【補正対象書類名】明細書
【補正対象項目名】０００３
【補正方法】変更
【補正の内容】
【０００３】
このため、より融通が利く装身具に対する需要がある。この需要は特に、典型的に最も人目につき重要な装身具であり、しばしば衣服に対する審美眼のある人がたった一つだけ用いるネックレスとブレスレットについて感じられる。
英国特許第２２５８１３４Ａ号は、表面が互いに異なる外観を呈する革帯若しくはブレスレットを有する腕時計を開示する。その革帯若しくはブレスレットは、枢動リンクを有し、腕時計のダイヤルに対して反転可能であり、１つの面と他の面とを交互に表示することができる。
米国特許第５７２２２６０号は、一連の真珠のネックレス若しくはチェーンネックレスの端部に開放可能に取付けるための内側の一対のフックを有する宝石留め金を開示する。留め金の半部は異なる装飾を有している。
米国特許第４８７８３６４号は、平行な第１の基部と第２の基部とを有し、基部の第１及び第２の側面に異なる宝石を保持して表示することができる宝石部品を開示する。




【国際調査報告】
2005501633.tif 000016
2005501633.tif 000017
2005501633.tif 000018